(57)【要約】 【課題】液体の入った容器から微量な液体を極めて容易に定量採取して、必要な箇所に滴下できるようにした毛細管ノズルを提供する。【解決手段】上記課題を解決するために、本発明は、一方に液体を毛細管現象で吸入する吸入口と、他方に吸入・採取した液体を吐出させる吐出口と、前記吸入口及び吐出口を連通するとともに液体を定量採取するための毛細管処理を施した内部空洞と、を備えたことを特徴とする毛細管ノズルの構成とした。【選択図】図１
2015110197.tif 000002
【特許請求の範囲】
【請求項１】
一方に液体を毛細管現象で吸入する吸入口と、他方に吸入・採取した液体を吐出させる吐出口と、前記吸入口及び吐出口を連通するとともに液体を定量採取するための毛細管処理を施した内部空洞と、を備えたことを特徴とする毛細管ノズル。
【請求項２】
一方に液体を毛細管現象で吸入する吸入口と、他方に吸入・採取した液体を吐出させる吐出口と、前記吸入口及び吐出口を連通するとともに液体を定量採取するための毛細管処理を施した内部空洞とを備えた管、を含む毛細管ノズルであって、
前記管を、液体を収容する可撓性の容器に挿入するとともに、前記吐出口以外を前記容器に密着させ、
前記吸入口が液体に接触することで毛細管現象によって液体を前記内部空洞に吸引し、
前記管を挿入させたまま前記容器を上下反転させ、
前記容器を押圧することで前記採取した液体を滴下させることを特徴とする毛細管ノズル。
【請求項３】
一方に液体を毛細管現象で吸引する吸入口と他方に吸入・採取した液体を吐出させる吐出口と前記吸入口及び吐出口を連通するとともに液体を定量採取するための毛細管処理を施した内部空洞を備えた管と、前記管の側面に備えられ液体を収容する容器の開口部に嵌着する蓋と、からなる毛細管ノズルであって、
前記容器に前記蓋を嵌着させ、前記吸入口が液体に接触することで毛細管現象によって液体を前記内部空洞に吸入し、
前記管を前記容器に内に保持したまま前記密閉容器を上下反転させ、
前記容器を押圧することで前記採取した液体を滴下させることを特徴とする毛細管ノズル。
【請求項４】
前記管と蓋を、一体に成形したことを特徴とする請求項３に記載の毛細管ノズル。
【請求項５】
前記管が、前記吸入口側に設けられ毛細管現象を発現する内部径で前記液体を定量吸入する毛細管部と、前記毛細管部以外が毛細管現象を発現しない内部径の本体と、からなり、
前記内部空洞に、前記毛細管部と前記本体との接続箇所において段差部を形成して、前記毛細管処理としたことを特徴とする請求項１から請求項４の内のいずれか１項に記載の毛細管ノズル。
【請求項６】
一方に液体を毛細管現象で吸入する吸入口、他方に吸入・採取した液体を吐出させる吐出口、及び、吸入口及び吐出口を連通するとともに液体の毛細管処理を施した内部空洞を備えた毛細管ノズルを、
可撓性の容器内に収容した液体に前記吸入口を接触させるとともに前記吐出口以外を密閉してスポイト形状を形成し、
前記吸入口が液体に接触することで毛細管現象によって液体を前記内部空洞に定量吸引し、
前記管を前記容器に保持させたまた前記容器を上下反転させ、
前記容器を押圧することで前記採取した液体を前記吐出口から滴下させることを特徴とする
毛細管ノズルの使用方法。
【請求項７】
液体が入れられる上部が開口し有底の可撓性の容器と、
前記開口に嵌められる蓋と、
一方に液体を毛細管現象で吸入する吸入口と他方に吸入・採取した液体を吐出させる吐出口と前記吸入口及び吐出口を連通するとともに液体を定量採取するための毛細管処理を施した内部空洞を備える管と、
からなり、
前記蓋を前記容器の開口に嵌めた上で、前記管で前記蓋を貫通させるとともに前記吐出口以外が前記蓋に密着させ、
前記吸入口が液体に接触することで毛細管現象によって液体を前記内部空洞に吸引され、
前記管を貫通させたまま前記密閉容器を上下反転させ、
前記容器を押圧することで前記採取した液体を滴下させることを特徴とする定量採取装置。
【請求項８】
液体が入れられる上部が開口し有底の可撓性の容器と、
一方に液体を毛細管現象で吸引する吸入口と他方に吸入・採取した液体を吐出させる吐出口と前記吸入口及び吐出口を連通するとともに液体を定量採取するための毛細管処理を施した内部空洞を備えた管と前記管の側面に備えられ前記容器の開口部に嵌着する蓋とからなる毛細管ノズルと、
からなり、
前記容器に前記蓋を嵌着させ、前記吸入口が液体に接触することで毛細管現象によって液体を前記内部空洞に吸入し、
前記管を前記容器に内に保持したまま前記密閉容器を上下反転させ、
前記容器を押圧することで前記採取した液体を滴下させることを特徴とする定量採取装置。
【発明の詳細な説明】
【技術分野】
【０００１】
本発明は、微量な液体を再現性よく定量採取し、採取した定量液体を容易に吐き出させることができる毛細管ノズル、その使用方法及び定量採取装置に関する。
【背景技術】
【０００２】
毛細管現象を利用して検体（以下、液体という）を微量採取する技術として、特許文献１に毛細管による微量液体採取・希釈・分注方法および装置が記載されている。特許文献１の発明は、毛細管の一部に手に持つための保持部を設け、毛細管の先端を液体に接触させて毛細管現象により微量で定量な液体を採取し、別途用意された一定量の希釈液が入った柔らかい樹脂製の容器に毛細管部のみを挿入し撹拌して液体を希釈して、その希釈された液体を測定に用いるというものである。
【先行技術文献】
【特許文献】
【０００３】
【特許文献１】特開２０１２−２６９９７号公報
【発明の概要】
【発明が解決しようとする課題】
【０００４】
特許文献１の発明によれば、微小な寸法の毛細管を手で取り扱えるようにするための保持部を設けているが、毛細管を希釈液に挿入するときにその保持部を切り離す作業が必要となり不便であった。しかも、液体の入った毛細管を希釈液中に挿入するため毛細管の中の液体が希釈液中に十分に溶け出したことを確認ができない問題がある。
【０００５】
本発明は、液体の入った容器から微量な液体を極めて容易に定量採取して必要な箇所に滴下できるようにした毛細管ノズルを提供することを目的とする。
【課題を解決するための手段】
【０００６】
本発明は、上記課題を解決するために、
（１）
一方に液体を毛細管現象で吸入する吸入口と、他方に吸入・採取した液体を吐出させる吐出口と、前記吸入口及び吐出口を連通するとともに液体を定量採取するための毛細管処理を施した内部空洞と、を備えたことを特徴とする毛細管ノズルの構成とした。
（２）
一方に液体を毛細管現象で吸入する吸入口と、他方に吸入・採取した液体を吐出させる吐出口と、前記吸入口及び吐出口を連通するとともに液体を定量採取するための毛細管処理を施した内部空洞とを備えた管、を含む毛細管ノズルであって、
前記管を、液体を収容する可撓性の容器に挿入するとともに、前記吐出口以外を前記容器に密着させ、
前記吸入口が液体に接触することで毛細管現象によって液体を前記内部空洞に吸引し、
前記管を挿入させたまま前記容器を上下反転させ、
前記容器を押圧することで前記採取した液体を滴下させることを特徴とする毛細管ノズルの構成とした。
（３）
一方に液体を毛細管現象で吸引する吸入口と他方に吸入・採取した液体を吐出させる吐出口と前記吸入口及び吐出口を連通するとともに液体を定量採取するための毛細管処理を施した内部空洞を備えた管と、前記管の側面に備えられ液体を収容する容器の開口部に嵌着する蓋と、からなる毛細管ノズルであって、
前記容器に前記蓋を嵌着させ、前記吸入口が液体に接触することで毛細管現象によって液体を前記内部空洞に吸入し、
前記管を前記容器に内に保持したまま前記密閉容器を上下反転させ、
前記容器を押圧することで前記採取した液体を滴下させることを特徴とする毛細管ノズルの構成とした。
（４）
前記管と蓋を、一体に成形したことを特徴とする（３）に記載の毛細管ノズルの構成とした。
（５）
前記管が、前記吸入口側に設けられ毛細管現象を発現する内部径で前記液体を定量吸入する毛細管部と、前記毛細管部以外が毛細管現象を発現しない内部径の本体と、からなり、
前記内部空洞に、前記毛細管部と前記本体との接続箇所において段差部を形成して、前記毛細管処理としたことを特徴とする（１）から（４）の内のいずれかに記載の毛細管ノズルの構成とした。
（６）
一方に液体を毛細管現象で吸入する吸入口、他方に吸入・採取した液体を吐出させる吐出口、及び、吸入口及び吐出口を連通するとともに液体の毛細管処理を施した内部空洞を備えた毛細管ノズルを、
可撓性の容器内に収容した液体に前記吸入口を接触させるとともに前記吐出口以外を密閉してスポイト形状を形成し、
前記吸入口が液体に接触することで毛細管現象によって液体を前記内部空洞に定量吸引し、
前記管を前記容器に保持させたまた前記容器を上下反転させ、
前記容器を押圧することで前記採取した液体を前記吐出口から滴下させることを特徴とする
毛細管ノズルの使用方法の構成とした。
（７）
液体が入れられる上部が開口し有底の可撓性の容器と、
前記開口に嵌められる蓋と、
一方に液体を毛細管現象で吸入する吸入口と他方に吸入・採取した液体を吐出させる吐出口と前記吸入口及び吐出口を連通するとともに液体を定量採取するための毛細管処理を施した内部空洞を備える管と、
からなり、
前記蓋を前記容器の開口に嵌めた上で、前記管で前記蓋を貫通させるとともに前記吐出口以外が前記蓋に密着させ、
前記吸入口が液体に接触することで毛細管現象によって液体を前記内部空洞に吸引され、
前記管を貫通させたまま前記密閉容器を上下反転させ、
前記容器を押圧することで前記採取した液体を滴下させることを特徴とする定量採取装置の構成とした。
（８）
液体が入れられる上部が開口し有底の可撓性の容器と、
一方に液体を毛細管現象で吸引する吸入口と他方に吸入・採取した液体を吐出させる吐出口と前記吸入口及び吐出口を連通するとともに液体を定量採取するための毛細管処理を施した内部空洞を備えた管と前記管の側面に備えられ前記容器の開口部に嵌着する蓋とからなる毛細管ノズルと、
からなり、
前記容器に前記蓋を嵌着させ、前記吸入口が液体に接触することで毛細管現象によって液体を前記内部空洞に吸入し、
前記管を前記容器に内に保持したまま前記密閉容器を上下反転させ、
前記容器を押圧することで前記採取した液体を滴下させることを特徴とする定量採取装置の構成とした。
【発明の効果】
【０００７】
本発明によれば、吸入口と吐出口を有する毛細管ノズルを液体の入った容器に密閉嵌合したとき、毛細管ノズルの吸入口が液体に接触して毛細管部に微定量の液体が吸入され、この状態で容器を上下反転させて吸入口が液体から離れると、毛細管ノズルの内部空洞に微定量の液体が採取されるので、可撓性の容器を単に押圧するのみで採取された微定量液体を所用の箇所に滴下することができる。従って、微定量の液体採取の取り扱いが極めて容易であり、かつ構造が簡単で実施が容易である。
【図面の簡単な説明】
【０００８】
【図１】本発明の毛細管ノズルの一例の正面図（左右側面）である。
【図２】図１の毛細管ノズルの平面図である。
【図３】図１の毛細管ノズルの底面図である。
【図４】図１の毛細管ノズルを容器に挿入する直前の断面（図２Ａ−Ａ‘）模式図である。
【図５】図４の後、毛細管ノズルを容器の開口に嵌め、毛細管部を液体に接触させたときの断面模式図である。
【図６】図５の後、毛細管ノズルを嵌めたまま容器を上下反転させたときの断面模式図である。
【図７】図６の状態から、容器の左右側面を押圧して採取した微量液体を滴下する様子を示す断面模式図である。
【発明を実施するための形態】
【０００９】
以下、本願発明について、図面を参照しながら詳細に説明する。なお、本発明は実施例に限定されるものではない。
【実施例】
【００１０】
図１から図５に示すように、本発明に係る毛細管ノズル１は、管２と、蓋３と、を備えている。
【００１１】
管２は毛細管部２ａと本体２ｃを備えている。毛細管部２ａは、毛細管現象を発現する内径の中空状の保持部２ｆが毛細管部２ａの両端に貫通しており、この保持部２ｆに微定量の液体が吸入口２ｂから毛細管現象により吸入される構成になっている。
【００１２】
本体２ｃは、毛細管現象を発現しない内径を有する空洞２ｅが形成されている。この空洞２ｅは、本体両端に貫通し毛細管部２ａの保持部２ｆに連通しており、毛細管部２ａで吸入された液体を外部に排出滴下するための吐出路２ｇを形成している。
【００１３】
毛細管部２ａと本体２ｃとの接続部の空洞は内径の違いにより段差部２ｈが形成されている。吐出路２ｇは、一端が段差部２ｈにあり、他端は吐出口２ｄに連通している。段差部２ｈは、毛細管部２ａが毛細管現象による液体を吸入する時に、吸入液面の上昇を停止させる働きをする。これにより、毛細管部２ａの保持部２ｆは毛細管の内径と長さにより規定される所定の微定量の液体を保持部２ｆに採取することができる。
【００１４】
蓋３は、毛細管ノズル１を容器４に挿入する際に容器の内壁面４ｂに嵌合するための嵌着部３ａと、容器４の上面４ｃに当接するつば３ｂを有し、図１に示すように、本体２ｃの上部に吐出口２ｄを開放した状態で本体２ｃの外周に位置し、気密的に固定される。
【００１５】
毛細管ノズル１を形成する場合、毛細管部２ａを本体２ｃと蓋３を一体成型することができる。なお、毛細管部２ａと本体２ｃとを別体にして、毛細管部２ａを本体２ｃの空洞２ｅに挿入固着する等の方法で管２を形成してもよい。また、蓋３を別体にして、蓋３は、本体２ｃの外径に適合する内径の空洞を形成し、上方に向けて外径が徐々に太くなる本体２ｃを、蓋３の空洞に挿入し嵌合する等の方法で毛細管ノズル１を形成してもよい。
【００１６】
図４において、容器４は、上部が開口した開口部４ａを有し有底の可撓性で、採取される液体５を収容する。毛細管ノズル１は液体５の入った容器４に挿入され、図５に示すように、毛細管ノズル１は嵌着部３ａとつば３ｂにおいて容器４に嵌着して両者を密閉し、吐出口２ｄのみを外部大気に解放する。
【００１７】
毛細管ノズル１が容器４に挿入されて吸入口２ｂが液体５に接触すると、液体５は毛細管部２ａの空洞状の保持部２ｆに吸入口２ｂから段差部２ｈまで毛細管現象により上昇し、保持部２ｆに微定量の液体が保持される。保持部２ｆに保持される採取液５ａの量は毛細管部２ａの内径と長さにより規定されるので、再現性良く微定量の液体を採取できる。
【００１８】
図６に示すように、容器４を上下反転させると、採取された微定量の液体は保持部２ｆに採取液５ａとして保持されたまま、吸入口２ｂは液体５から離れる。その後、図７に示すように、可撓性の容器４を両側から押圧すれば、微定量の採取液５ａは液体５の上側に容器中に封入された空気５ｂにより押し出され、吐出路２ｇを通して滴５ｃとして所要個所へ滴下することができる。
【００１９】
図５から図７に示されるように、毛細管ノズル１を容器４に密閉嵌合させれば、毛細管ノズル１と容器４が一体となって所定量を分注するスポイト状の構造となり、容器４と蓋３と毛細管ノズル１で、定量採取装置を形成する。蓋３と毛細管ノズル１は、一体としても別体としてもよい。
【００２０】
なお、以上の説明では、物理的な段差部２ｈは、毛細管現象を発現させて液体を定量採取するための毛細管処理、即ち定量採取処理を施した構成として説明したが、これに限定されるものではなく、毛細管処理は、乳化剤塗布、混合、プラズマ処理、各種コーティング処理等の方法を用いて液体を毛細管現象で微定量採取できるように構成することもできる。
【００２１】
また、蓋３は容器４に一体に構成し又は予め容器４に嵌合させて蓋付き容器としておき、この容器に液体を入れた後、蓋３の空洞に管２を挿入し密閉固定するようにしてスポイトを形成するようにしてもよい。
【符号の説明】
【００２２】
１        毛細管ノズル
２        管
２ａ      毛細管部
２ｂ      吸入口
２ｃ      本体
２ｄ      吐出口
２ｅ      空洞
２ｆ      保持部
２ｇ      吐出路
２ｈ      段差部
３        蓋
３ａ      嵌着部
３ｂ      つば
４        容器
４ａ      開口部
４ｂ      内壁面
４ｃ      上面
５        液体
５ａ      採取液
５ｂ      空気
【図１】
2015110197.tif 000003
【図２】
2015110197.tif 000004
【図３】
2015110197.tif 000005
【図４】
2015110197.tif 000006
【図５】
2015110197.tif 000007
【図６】
2015110197.tif 000008
【図７】
2015110197.tif 000009